(57)【特許請求の範囲】
【請求項１】
建物一階に設けられた防音室の天井面高さ位置が、防音天井構造の採用により、同建物一階の非防音の他室の基準天井面高さ位置よりも低く設定されている、室の防音構造において、
前記防音室の床の上面高さ位置が、同建物のコンクリート布基礎の基礎立ち上がり部の天面部高さ位置よりも低く設定されて、基礎立ち上がり部が、前記防音室の、床面高さ位置と天井面高さ位置との間の中間の高さ位置までを囲んでいると共に、
該基礎立ち上がり部の内側面側を、防音用の壁が、床面高さ位置から、基礎立ち上がり部天面高さ位置を越え、天井面高さ位置へと延ばされて設けられており、
前記基礎立ち上がり部の内側面部に防音用の発泡樹脂層が設けられ、該発泡樹脂層の内側面側を前記防音用の壁が天井側へと延ばされていることを特徴とする、室の防音構造。
【請求項２】
外壁側において、前記防音用の壁に遮音シートが備えられており、該遮音シートと外壁パネル側の防湿シートとが連結されて外壁側の防湿層が形成されている、請求項１に記載の、室の防音構造。
【発明の詳細な説明】
【技術分野】
【０００１】
本発明は、室の防音構造に関する。
【背景技術】
【０００２】
建物の構造躯体や基本の部屋構造を標準仕様に従って施工した後、そのうちの一部屋に防音工事を施すような施工を行うことがある。
【先行技術文献】
【特許文献】
【０００３】
【特許文献１】特開２００１−１１５６６９号公報
【発明の概要】
【発明が解決しようとする課題】
【０００４】
しかしながら、上記のような施工を行うような場合、往々にして、天井高さが低くなって部屋の上下方向の寸法が小さくなってしまったり、音が床下空間部を通じて他室や屋外に漏れたりするという問題を生じやすい。
【０００５】
本発明は、上記のような問題点に鑑み、室の上下方向の寸法を充分大きく確保することができ、それでいて、高い遮音性能を発揮することができる、室の防音構造を提供することを課題とする。
【課題を解決するための手段】
【０００６】
上記の課題は、建物一階に設けられた防音室の天井面高さ位置が、防音天井構造の採用により、同建物一階の非防音の他室の基準天井面高さ位置よりも低く設定されている、室の防音構造において、
前記防音室の床の上面高さ位置が、同建物のコンクリート布基礎の基礎立ち上がり部の天面部高さ位置よりも低く設定されて、基礎立ち上がり部が、前記防音室の、床面高さ位置と天井面高さ位置との間の中間の高さ位置までを囲んでいると共に、
該基礎立ち上がり部の内側面側を、防音用の壁が、床面高さ位置から、基礎立ち上がり部天面高さ位置を越え、天井面高さ位置へと延ばされて設けられていることを特徴とする、室の防音構造によって解決される（第１発明）。
【０００７】
この構造では、建物一階に設けられた防音室の天井面高さ位置が、防音天井構造の採用により、同建物一階の非防音の他室の基準天井面高さ位置よりも低く設定されているので、天井側の防音遮音性能を高いものにすることができる。
【０００８】
しかも、防音室の床の上面高さ位置が、同建物のコンクリート布基礎の基礎立ち上がり部の天面部高さ位置よりも低く設定されて、基礎立ち上がり部が、前記防音室の、床面高さ位置と天井面高さ位置との間の中間の高さ位置までを囲んでいる構造となっているので、上記のように、防音室の天井面高さ位置を低くしても、室の上下方向の寸法を充分大きく確保することができ、加えて、音が床下空間部を通じて他室や屋外に漏れたりするのを抑えることができる。
【０００９】
更に、基礎立ち上がり部の内側面側を、防音用の壁が、床面高さ位置から、基礎立ち上がり部天面高さ位置を越え、天井面高さ位置へと延ばされて設けられているので、音が床下空間部を通じて他室や屋外に漏れたりするのをより一層効果的に抑制ないしは防止することができて、防音室の防音遮音性能を非常に高いものにすることができる。
【００１０】
第１発明において、前記基礎立ち上がり部の内側面部に防音用の発泡樹脂層が設けられ、該発泡樹脂層の内側面側を前記防音用の壁が天井側へと延ばされているとよい（第２発明）。この場合は、音が床下空間部を通じて他室や屋外に漏れたりするのをより効果的に抑制ないしは防止することができて、防音室の防音遮音性能を非常に高いものにすることができる。
【００１１】
第１，第２発明において、外壁側において、前記防音用の壁に遮音シートが備えられており、該遮音シートと外壁パネル側の防湿シートとが連結されて外壁側の防湿層が形成されているとよい（第３発明）。この場合は、防音用の壁に備えられている遮音シートを利用して、外壁側の防湿を品質良好なものにすることができる。
【発明の効果】
【００１２】
本発明は、以上のとおりのものであるから、室の上下方向の寸法を充分大きく確保することができ、それでいて、高い遮音性能を発揮することができる。
【図面の簡単な説明】
【００１３】
【図１】実施形態の室の防音構造を示す断面正面図である。
【発明を実施するための形態】
【００１４】
次に、本発明の実施形態を図面に基づいて説明する。
【００１５】
図１に示す実施形態の構造において、１は防音室、２は隣接する非防音室であり、防音室１は、建物の一階に設けられ、天井側は、防音のため、二重天井構造になっていて、その天井面３の高さ位置は、非防音室２の基準天井面４の高さ位置よりも低く設定されている。
【００１６】
この二重天井構造において、５は石こうボード、６は合板であり、これらは、隣接する非防音室２の石こうボード５及び合板６とは、防音のために、縁を切られており、また、合板６の下方に、該合板６との間に空間部を形成するように石こうボード７が設けられ、空間部にグラスウール等の繊維系防音材８が設けられて防音天井を構成している。９は、任意に備えられる吸音ボードであり、この吸音ボード９の下面部の高さ位置、又は、石こうボード７の下面部の高さ位置を防音室１の天井面３の高さ位置としている。１０はロックウール等の繊維系防音材で、隣室２との間の遮音性能を確保するものである。
【００１７】
そして、防音室１の床面１１の高さ位置は、コンクリート布基礎１２の基礎立ち上がり部１２ａの天面部１３の高さ位置よりも低く設定されていて、基礎立ち上がり部１２ａが、防音室１の、床面１１の高さ位置と天井面３の高さ位置との間の中間の高さ位置までを囲んだ構造となっている。１４は割栗石、１５は防湿・防蟻シート、１６は発泡ポリスチレン、１７は土間コンクリートであり、１８はプラスチックなどからなる低背の束、１９は２８ｍｍ厚さの厚板合板、２０は捨貼のパーチクルボード、２１はフロア仕上げ材である。
【００１８】
そして、基礎立ち上がり部１２ａの内側面部には、発泡ポリスチレン等からなる防音用の発泡樹脂層２２が接着剤で貼られるなどして設けられると共に、該防音用の発泡樹脂層２２の内側面側を、防音用の壁２３が、床面１１の高さ位置から、基礎立ち上がり部１２ａの天面１３の高さ位置を越え、天井面３の高さ位置へと延ばされて設けられている。
【００１９】
隣室２に面する側において、２４は隣室の間仕切り壁であり、前記の防音用の壁２３において、２５は二枚貼りの石こうボードであり、該二枚貼り石こうボード２５の背面側にはグラスウール等の繊維系防音材２６が設けられると共に、正面側には間隔をおいて、合板２７と石こうボード２８とでアスファルト等からなる遮音シート２９をサンドイッチにしたものが配置され、それらの間の空間部にグラスウール等の繊維系防音材３０が設けられた構造となっている。合板２７と石こうボード２８とで遮音シート２９をサンドイッチにしたものの採用により、制振効果が高められて、楽器等の発音によるびびり音の発生が防止される。３１は、任意に備えられる吸音ボードである。３２は、縁を切って遮音性能を高めるための隙間である。
【００２０】
また、外壁側において、３３は外壁パネルであり、防音用の壁２３において、２５は二枚貼りの石こうボードであり、該二枚貼り石こうボード２５の正面側には間隔をおいて、同じく、合板２７と石こうボード２８とで遮音シート２９をサンドイッチにしたものを配置され、それらの間の空間部にグラスウール等の繊維系防音材３０，３０が設けられた構造となっている。
【００２１】
更に、外壁側において、遮音シート２９と、外壁パネル３３側の防湿シート３４とは、天井側において、天井用防湿シート３５を介して防湿状態に連結されて、外壁側の防湿層が形成され、防音用の壁２３に備えられている遮音シート２９を利用して、外壁側の防湿を品質良好なものにしている。
【００２２】
３６は、Ｌ型気密シートで、遮音シート２９と床面１１との間が気密にされている。３７は、隣室２の床面である。
【００２３】
上記の構造では、防音室１の天井面３の高さ位置が、防音天井構造の採用により、非防音室２の基準天井面４の高さ位置よりも低く設定されているので、天井側の防音遮音性能を高いものにすることができる。
【００２４】
しかも、防音室１の床面１１の高さ位置が、コンクリート布基礎１２の基礎立ち上がり部１２ａの天面部１３の高さ位置よりも低く設定されて、基礎立ち上がり部１２ａが、防音室１の、床面高さ位置と天井面高さ位置との間の中間の高さ位置までを囲んでいる構造となっているので、防音室１の天井面３の高さ位置を上記のように低くしても、防音室１の上下方向の寸法を充分大きく確保することができ、加えて、音が床下空間部を通じて隣室や屋外に漏れたりするのを基礎立ち上がり部１２ａに抑えさせることができる。
【００２５】
更に、基礎立ち上がり部１２ａの内側面側を、防音用の壁２３，２３が、床面１１の高さ位置から、基礎立ち上がり部１２ａの天面１３の高さ位置を越え、天井面３の高さ位置へと延ばされて設けられているので、音が床下空間部を通じて隣室や屋外に漏れたりするのをより一層効果的に抑制ないしは防止することができて、防音室１の防音遮音性能を非常に高いものにすることができる。
【００２６】
特に、本実施形態では、基礎立ち上がり部１２ａの内側面部に防音用の発泡樹脂層２２が設けられ、該発泡樹脂層２２の内側面側を防音用の壁２３，２３が天井３側へと延ばされている構造となっているので、音が床下空間部を通じて他室や屋外に漏れたりするのをより効果的に抑制ないしは防止することができて、防音室の防音遮音性能を非常に高いものにすることができる。
【符号の説明】
【００２７】
１…防音室
３…天井面
４…基準天井面
１１…床面
１２…コンクリート布基礎
１２ａ…基礎立ち上がり部
１３…天面部
２２…防音用の発泡樹脂層
２３…防音用の壁
２９…遮音シート
３３…外壁パネル
３４…防湿シート
【図１】
0005520615.tif 000002